(57)【要約】    【課題】  ブロック状部材の表側の形状の高さが変化するものであっても、各ブロック状部材の表側部分が所望の状態で露出し、ブロック状部材同士の間に目地が存在する状態のキャスト体を容易且つ確実に製造することができるキャスト体の製法及びブロック状部材保持体の提供。    【解決手段】  タイルＴの表側Ｔ１に裏打ち材Ｌの裏面側Ｌ１が、表側Ｔ１の形状に沿って変形した状態で貼着してブロック状複合体Ｘを形成する。ブロック状複合体Ｘを枠体Ｍにおける各格子枠Ｍ１内の底面上にタイルＴの裏側Ｔ２が支持される状態で載置する。裏打ち材Ｌの表面側Ｌ２を水平状に切削整形する。裏打ち材Ｌの表面側Ｌ２と、格子枠Ｍ１の上側に嵌挿した目地形成材Ｊの上側面に、基材Ｓを接合する。枠体Ｍを取り外すことにより、コンクリートによるキャスト体の製造に用い得るタイルシートＱが得られる。【選択図】      図４
2014145235.tif 000002
【特許請求の範囲】
【請求項１】
表側と裏側を有する複数のブロック状部材を、各ブロック状部材の側面相互間に目地用間隙を隔有する状態で各ブロック状部材の表側部分を除く部分を流動性固化材料中に埋入させ、その流動性固化材料を固化させることにより、各ブロック状部材の表側部分が露出し、ブロック状部材同士の間に目地が存在する状態のキャスト体を製造する方法であって、
前記ブロック状部材のうち少なくとも１個のブロック状部材の表側の形状が、そのブロック状部材の裏側から表側への高さにおいて変化するものであり、
各ブロック状部材の表側に、厚さがそのブロック状部材の表側の形状の高さ方向の変化幅よりも厚く、そのブロック状部材の表側の形状に沿って変形し得る裏打ち材の裏面側を、前記ブロック状部材の表側の形状に沿って変形した状態で貼着してブロック状複合体を形成する工程Ａと、
ブロック状複合体における裏打ち材の表面側を所定形状に整形する工程Ｂと、
ブロック状部材の側面相互間に目地用間隙を隔有する状態で、ブロック状複合体における所定形状に整形された裏打ち材の表面側部分を、前記所定形状に対応する形状の所定箇所に支持することにより、そのブロック状複合体におけるブロック状部材の位置及び姿勢を決定すると共に、
ブロック状部材の側面相互間の前記目地用間隙のうちブロック状部材の表側よりも裏側寄りを目地形成材により閉塞する工程Ｃを備えることを特徴とするキャスト体の製法。
【請求項２】
全てのブロック状部材の裏側が平面に沿った形状であり、
上記工程Ｂが、全てのブロック状複合体における裏打ち材の表面側を、各ブロック状複合体におけるブロック状部材の裏側が沿う前記平面に対し一定の高さを隔てて平行状となるように整形する工程である請求項１記載のキャスト体の製法。
【請求項３】
上記工程Ｂが、複数のブロック状複合体が、それらのブロック状部材の裏側が所定の平面に沿うようにその平面の一方の側に配置された状態で、それらのブロック状複合体の裏打ち材の表面側が前記平面に平行状となるように整形する工程である請求項２記載のキャスト体の製法。
【請求項４】
上記工程Ｃが、
ブロック状部材の側面相互間に目地用間隙を隔有する状態で、ブロック状複合体における所定形状に整形された裏打ち材の表面側部分を、平面状部を有する基材の平面状部に接合することにより、そのブロック状複合体におけるブロック状部材の位置及び姿勢を決定すると共に、
ブロック状部材の側面相互間の前記目地用間隙に目地形成部材を嵌挿して前記基材に接合することにより、前記目地用間隙のうちブロック状部材の表側よりも裏側寄りを目地形成材により閉塞する工程である請求項２又は３記載のキャスト体の製法。
【請求項５】
表側と裏側を有する複数のブロック状部材と、各ブロック状部材についての裏打ち材と、平面状部を有する基材の平面状部を備えてなり、
全てのブロック状部材の裏側が平面に沿った形状であり、
前記ブロック状部材のうち少なくとも１個のブロック状部材の表側の形状が、そのブロック状部材の裏側から表側への高さにおいて変化するものであり、
前記各ブロック状部材とそのブロック状部材についての裏打ち材は、裏打ち材の裏面側がブロック状部材の表側の形状に沿って変形した状態でブロック状部材の表側に貼着して各ブロック状複合体を構成し、
各ブロック状複合体において、裏打ち材は、最大厚さがブロック状部材の表側の形状の高さ方向の変化幅よりも厚く、
全てのブロック状複合体における裏打ち材の表面側は、各ブロック状複合体におけるブロック状部材の裏側が沿う平面に対し一定の高さを隔てて平行状をなすよう整形されており、
各ブロック状複合体は、ブロック状部材の側面相互間に目地用間隙を隔有する状態で、裏打ち材の表面側において平面状部を有する基材の平面状部に接合され、
ブロック状部材の側面相互間の前記目地用間隙のうちブロック状部材の表側よりも裏側寄りが目地形成材により閉塞されていることを特徴とするブロック状部材保持体。
【発明の詳細な説明】
【技術分野】
【０００１】
本発明は、タイル等のブロック状部材の表側部分が露出し、ブロック状部材同士の間に目地が存在する状態のキャスト体を製造するためのキャスト体の製法及びブロック状部材保持体に関する。
【背景技術】
【０００２】
特開平６−２２０９７７号公報には、粘着シートの粘着剤層に、目地幅を残し、光沢面を粘着剤側にしてタイルが貼着され、タイルとタイルとの間隙にプラスチック発泡体よりなり、タイルの厚さより薄く、連結した枠状の発泡目地材が貼着されている、タイルシートを用い、上記タイルシートを、タイルの裏側を上にして型枠内に敷設し、所定の位置に鉄筋を配設し、しかる後コンクリートを打設して凝結硬化後、脱型し、粘着剤シートを剥離するタイル埋設式コンクリートパネルの製法において、発泡目地材として、その表面部位にセメント凝結遅延剤が施されているタイルシート用発泡目地材を使用するタイル埋設式コンクリートパネルの製法が開示されている。
【０００３】
タイルの表側である光沢面が平坦な場合、特開平６−２２０９７７号公報に記載されているように表側を粘着剤側にしてタイルを粘着シート上に貼着すれば、タイルを一定姿勢で位置決めすることができ、コンクリートパネルの製造に有効利用することができる。
【０００４】
しかしながら、タイルの表側の形状が、位置によって高さが変化する不定形状である場合、タイルの表側を粘着シート上に貼着してもタイルが様々な向きに傾斜し、一定姿勢で位置決めすることができないため、コンクリートパネルの製造に利用することができない。
【０００５】
そのため、目地幅に相当する幅を挟んだ格子状部を底部側に設けた型枠の各格子状部に、表側を上側にしてタイルを載置してその上に溶融合成樹脂を流し込み、タイルの表側を埋設した状態で合成樹脂を固化させたものを、コンクリートパネルの製造に利用することが提案された。
【０００６】
しかしながらこの場合、合成樹脂用の型枠を、タイルの種類毎に製作する必要があり、而も、コンクリートパネルの製造においては、コンクリート硬化後にタイルから合成樹脂を除去する必要があり、大きなコスト及び手間を要していた。また、合成樹脂をタイル表面から完全に除去することが困難なこともありがちであり、その場合、美観を損なうと共に、防火上の問題もあった。
【先行技術文献】
【特許文献】
【０００７】
【特許文献１】特開平６−２２０９７７号公報
【発明の概要】
【発明が解決しようとする課題】
【０００８】
本発明は、従来技術に存した上記のような課題に鑑み行われたものであって、その目的とするところは、ブロック状部材の表側の形状が、そのブロック状部材の裏側から表側への高さにおいて変化するものであっても、特に、ブロック状部材毎に、表側の形状が異なるものであっても、ブロック状部材の表側部分が所望の状態で露出し、ブロック状部材同士の間に目地が存在する状態のキャスト体を容易且つ確実に製造することができるキャスト体の製法及びブロック状部材保持体を提供することにある。
【課題を解決するための手段】
【０００９】
本発明のキャスト体の製法及びブロック状部材保持体は、次のように表すことができる。
【００１０】
１．表側と裏側を有する複数のブロック状部材を、各ブロック状部材の側面相互間に目地用間隙を隔有する状態で各ブロック状部材の表側部分を除く部分を流動性固化材料中に埋入させ、その流動性固化材料を固化させることにより、各ブロック状部材の表側部分が露出し、ブロック状部材同士の間に目地が存在する状態のキャスト体を製造する方法であって、
前記ブロック状部材のうち少なくとも１個のブロック状部材の表側の形状が、そのブロック状部材の裏側から表側への高さにおいて変化するものであり、
各ブロック状部材の表側に、厚さがそのブロック状部材の表側の形状の高さ方向の変化幅よりも厚く、そのブロック状部材の表側の形状に沿って変形し得る裏打ち材の裏面側を、前記ブロック状部材の表側の形状に沿って変形した状態で貼着してブロック状複合体を形成する工程Ａと、
ブロック状複合体における裏打ち材の表面側を所定形状に整形する工程Ｂと、
ブロック状部材の側面相互間に目地用間隙を隔有する状態で、ブロック状複合体における所定形状に整形された裏打ち材の表面側部分を、前記所定形状に対応する形状の所定箇所に支持することにより、そのブロック状複合体におけるブロック状部材の位置及び姿勢を決定すると共に、
ブロック状部材の側面相互間の前記目地用間隙のうちブロック状部材の表側よりも裏側寄りを目地形成材により閉塞する工程Ｃ
を備えることを特徴とするキャスト体の製法。
【００１１】
各ブロック状複合体におけるブロック状部材の表側には、厚さがそのブロック状部材の表側の形状の高さ方向の変化幅よりも厚く、そのブロック状部材の表側の形状に沿って変形し得る裏打ち材の裏面側が、ブロック状部材の表側の形状に沿って変形した状態で貼着されている。
【００１２】
そのため、ブロック状複合体における裏打ち材の表面側部分を所定形状に整形し、ブロック状複合体における所定形状に整形された裏打ち材の表面側を、前記所定形状に対応する形状の所定箇所に支持することにより、ブロック状部材の表側の形状が、そのブロック状部材の裏側から表側への高さにおいて変化するものであっても、そのブロック状複合体におけるブロック状部材の位置及び姿勢を決定することができる。ブロック状部材毎に、表側の形状が異なるものであっても差し支えない。
【００１３】
また、ブロック状部材の側面相互間の前記目地用間隙のうちブロック状部材の表側よりも裏側寄りを、目地形成材により閉塞する。
【００１４】
このようにすることによって、ブロック状部材の表側の形状が、そのブロック状部材の裏側から表側への高さにおいて変化するものであっても、特に、ブロック状部材毎に、表側の形状が異なるものであっても、流動性固化材料を用いてキャスト体を容易且つ確実に製造することができる。すなわち、全ブロック状部材の目地形成材よりも裏側の部分を流動性固化材料中に埋入させ、その流動性固化材料を固化させることにより、各ブロック状部材の表側部分が所望の状態で露出し、ブロック状部材同士の間に目地が存在する状態のキャスト体を製造することができる。
【００１５】
２．全てのブロック状部材の裏側が平面に沿った形状であり、
上記工程Ｂが、全てのブロック状複合体における裏打ち材の表面側を、各ブロック状複合体におけるブロック状部材の裏側が沿う前記平面に対し一定の高さを隔てて平行状となるように整形する工程である請求項１記載のキャスト体の製法。
【００１６】
全てのブロック状複合体における裏打ち材の表面側を、各ブロック状複合体におけるブロック状部材の裏側が沿う前記平面に対し一定の高さを隔てて平行状となるように整形し、ブロック状複合体におけるこのような所定形状に整形された裏打ち材の表面側を、前記所定形状に対応する形状の所定箇所に支持することにより、ブロック状部材の表側の形状が、そのブロック状部材の裏側から表側への高さにおいて変化するものであっても（また、ブロック状部材毎に、表側の形状が異なるものであっても）、そのブロック状複合体におけるブロック状部材の位置及び姿勢を容易且つ確実に決定することができる。
【００１７】
３．上記工程Ｂが、複数のブロック状複合体が、それらのブロック状部材の裏側が所定の平面に沿うようにその平面の一方の側に配置された状態で、それらのブロック状複合体の裏打ち材の表面側が前記平面に平行状となるように整形する工程である請求項２記載のキャスト体の製法。
【００１８】
複数のブロック状複合体における裏打ち材の表面側を、各ブロック状複合体におけるブロック状部材の裏側が沿う平面に対し一定の高さを隔てて平行状となるように整形する作業を容易に行い得る。
【００１９】
４．上記工程Ｃが、
ブロック状部材の側面相互間に目地用間隙を隔有する状態で、ブロック状複合体における所定形状に整形された裏打ち材の表面側部分を、平面状部を有する基材の平面状部に接合することにより、そのブロック状複合体におけるブロック状部材の位置及び姿勢を決定すると共に、
ブロック状部材の側面相互間の前記目地用間隙に目地形成部材を嵌挿して前記基材に接合することにより、前記目地用間隙のうちブロック状部材の表側よりも裏側寄りを目地形成材により閉塞する工程である請求項２又は３記載のキャスト体の製法。
【００２０】
ブロック状複合体における裏打ち材の表面側を、各ブロック状複合体におけるブロック状部材の裏側が沿う前記平面に対し一定の高さを隔てて平行状となるように整形し、ブロック状複合体におけるこのような所定形状に整形された裏打ち材の表面側を、前記所定形状に対応する形状の所定箇所である平面状部を有する基材の平面状部に支持することにより、ブロック状部材の表側の形状が、そのブロック状部材の裏側から表側への高さにおいて変化するものであっても（また、ブロック状部材毎に、表側の形状が異なるものであっても）、そのブロック状複合体におけるブロック状部材の位置及び姿勢を容易且つ確実に決定することができる。また、目地形成部材を基材に接合することにより、ブロック状複合体と目地形成部材と基材を一体化して取り扱い性を高めることができる。
【００２１】
５．表側と裏側を有する複数のブロック状部材と、各ブロック状部材についての裏打ち材と、平面状部を有する基材の平面状部を備えてなり、
全てのブロック状部材の裏側が平面に沿った形状であり、
前記ブロック状部材のうち少なくとも１個のブロック状部材の表側の形状が、そのブロック状部材の裏側から表側への高さにおいて変化するものであり、
前記各ブロック状部材とそのブロック状部材についての裏打ち材は、裏打ち材の裏面側がブロック状部材の表側の形状に沿って変形した状態でブロック状部材の表側に貼着して各ブロック状複合体を構成し、
各ブロック状複合体において、裏打ち材は、最大厚さがブロック状部材の表側の形状の高さ方向の変化幅よりも厚く、
全てのブロック状複合体における裏打ち材の表面側は、各ブロック状複合体におけるブロック状部材の裏側が沿う平面に対し一定の高さを隔てて平行状をなすよう整形されており、
各ブロック状複合体は、ブロック状部材の側面相互間に目地用間隙を隔有する状態で、裏打ち材の表面側において平面状部を有する基材の平面状部に接合され、
ブロック状部材の側面相互間の前記目地用間隙のうちブロック状部材の表側よりも裏側寄りが目地形成材により閉塞されていることを特徴とするブロック状部材保持体。
【００２２】
このブロック状部材保持体は、本発明のキャスト体の製法中の工程Ａ、Ｂ及びＣにより容易且つ確実に製造することができるものである。全てのブロック状複合体における裏打ち材の表面側は、各ブロック状複合体におけるブロック状部材の裏側が沿う平面に対し一定の高さを隔てて平行状をなすよう整形されている。整形後の裏打ち材の最大厚さは、ブロック状部材の表側の形状の高さ方向の変化幅よりも厚い。各ブロック状複合体は、ブロック状部材の側面相互間に目地用間隙を隔有する状態で、裏打ち材の表面側において平面状部を有する基材の平面状部に接合されているので、ブロック状部材の表側の形状が、そのブロック状部材の裏側から表側への高さにおいて変化するものであっても（また、ブロック状部材毎に、表側の形状が異なるものであっても）、そのブロック状複合体におけるブロック状部材の位置及び姿勢が、各ブロック状部材の裏側が沿う平面及び基材の平面状部に対し決定されたものとなっている。
【００２３】
また、ブロック状部材の側面相互間の前記目地用間隙のうちブロック状部材の表側よりも裏側寄りが目地形成材により閉塞されている。
【００２４】
このブロック状部材保持体を用いることにより、ブロック状部材の表側の形状が、そのブロック状部材の裏側から表側への高さにおいて変化するものであっても、特に、ブロック状部材毎に、表側の形状が異なるものであっても、流動性固化材料を用いてキャスト体を容易且つ確実に製造することができる。すなわち、全ブロック状部材の目地形成材よりも裏側の部分を流動性固化材料中に埋入させ、その流動性固化材料を固化させることにより、各ブロック状部材の表側部分が所望の状態で露出し、ブロック状部材同士の間に目地が存在する状態のキャスト体を製造することができる。
【発明の効果】
【００２５】
本発明によれば、ブロック状部材の表側の形状が、そのブロック状部材の裏側から表側への高さにおいて変化するものであっても、特に、ブロック状部材毎に、表側の形状が異なるものであっても、全ブロック状部材の目地形成材よりも裏側の部分を流動性固化材料中に埋入させ、その流動性固化材料を固化させることにより、各ブロック状部材の表側部分が所望の状態で露出し、ブロック状部材同士の間に目地が存在する状態のキャスト体を容易且つ確実に製造することができる。
【図面の簡単な説明】
【００２６】
【図１】裏打ち材とタイルと枠体の模式的断面図である。
【図２】裏打ち材を貼着したタイルを枠体の格子状部分に載置した状態の模式的断面図である。
【図３】裏打ち材の表面側を整形した状態を示す模式的断面図である。
【図４】目地形成材を嵌挿して基材を接合した状態を示す模式的断面図である。
【図５】タイルシートの模式的断面図である。
【図６】プレキャストコンクリートパネル製造のためにコンクリートを打設した状態の模式的断面図である。
【図７】プレキャストコンクリートパネルの模式的断面図である。
【図８】コンクリートパネル間にコンクリート壁部を形成する状態を示す模式的断面図である。
【発明を実施するための形態】
【００２７】
[1] 本発明の実施の形態を、図面を参照しつつ説明する。
【００２８】
図面は何れも本発明の実施の形態の例についてのものであり、そのうち図１乃至図５は、いわゆるタイルシートＱ（ブロック状部材保持体）に関するものであり、図６及び図７は、前記タイルシートＱを用いたプレキャストコンクリートパネルＲに関するものであり、図８は、前記タイルシートＱを用いた現場打ちコンクリート壁に関するものである。
【００２９】
(1) タイルシートＱは、タイルＴ、裏打ち材Ｌ、目地形成材Ｊ、及び、基材Ｓからなり、枠体Ｍを用いて製造される。
【００３０】
タイルＴ（ブロック状部材）は、平面視方形の厚板状をなす。タイルＴは、図１においてそれぞれ上側及び下側である表側Ｔ１及び裏側Ｔ２を有する。
【００３１】
タイルＴの表側Ｔ１は、裏側Ｔ２から表側Ｔ１への高さにおいて変化する（表側における平面的な位置によって高さが異なる）不定形状をなす。
【００３２】
裏側Ｔ２は、平面に沿った形状であり、３つの溝状凹部Ｔ３を平行状に有する。
【００３３】
各タイルＴは、表側Ｔ１の形状を除いて互いに実質上同一形状である。
【００３４】
裏打ち材Ｌは、独立気泡ポリエチレンフォーム製の厚板マット状をなす。裏打ち材Ｌは、平面視においてタイルＴと同一の方形状をなし、厚さがタイルＴの表側Ｔ１の形状の高さ方向の変化幅（最低高さと最高高さの差）よりも厚く、タイルＴの表側Ｔ１の形状に沿って変形し得る。
【００３５】
図１における下側面である裏打ち材Ｌの裏面側Ｌ１には、セメント凝結遅延剤を含有する粘着剤層（図示を略す）が設けられている。
【００３６】
基材Ｓは、合成樹脂製のシートの裏面（図４における下側面）に粘着剤層（図示を略す）が設けられてなる。
【００３７】
枠体Ｍは、内側に上方開口の浅い凹部が形成されたトレー状をなし、底部側には碁盤目状をなす格子枠Ｍ１が設けられている。全ての格子枠Ｍ１内の底面は一定高さ位置の平面状をなす。
【００３８】
タイルＴ毎に、タイルＴの表側Ｔ１に、裏打ち材Ｌの裏面側Ｌ１が、タイルＴの表側Ｔ１の形状に沿って変形した状態で裏面側Ｌ１に設けられた粘着剤層を介して貼着されてブロック状複合体Ｘが形成されている。裏打ち材Ｌの表面側Ｌ２は、裏面側Ｌ１の変形に従って変形している。裏打ち材Ｌの裏面側Ｌ１は、実質上タイルＴの表側Ｔ１全面に一致する状態をなす。
【００３９】
各ブロック状複合体Ｘを、図２に示されるように、枠体Ｍにおける各格子枠Ｍ１内の底面上にタイルＴの裏側Ｔ２が支持される状態で載置することにより、タイルＴの側面Ｔ４相互間に格子枠Ｍ１に対応する目地用間隙を隔有するようにタイルＴが配列される。
【００４０】
裏打ち材Ｌは、厚さがタイルＴの表側Ｔ１の形状の高さ方向の変化幅よりも厚く、裏面側Ｌ１が、タイルＴの表側Ｔ１の形状に沿って変形した状態で貼着されているため、タイルＴの裏側Ｔ２が沿う平面（各格子枠Ｍ１内の底面）に対し平行な一定面（枠体Ｍの上端面に一致する面）で裏打ち材Ｌの表面側Ｌ２を切削して整形することにより、図３に示すように、裏打ち材Ｌの表面側Ｌ２がタイルＴの裏側Ｔ２が沿う平面に対し平行な面を形成する。整形後の裏打ち材Ｌの最大厚さは、タイルＴの表側の形状の高さ方向の変化幅よりも厚い。
【００４１】
このように整形された裏打ち材Ｌの表面側Ｌ２と、図４における格子枠Ｍ１の上側に嵌挿された目地形成材Ｊの上側面に、１枚の基材Ｓの下側面を粘着剤層を介して接合させ、枠体Ｍを取り外すことにより、図５に示されるタイルシートＱ（ブロック状部材保持体）が容易且つ確実に得られる。
【００４２】
タイルシートＱにおいて、タイルＴは、それらの側面Ｔ４相互間及びタイルＴの外周部のうち他のタイルＴに相対しない部分である配列されたタイルＴ群全体の外周部に一定高さの目地形成材Ｊが配置され、基材Ｓに対し裏側Ｔ２が平行状をなす姿勢で碁盤目状に配列されたものとなる。
【００４３】
(2) 図６に示すように、タイルシートＱを、基材Ｓを下側にして、浅い箱形状のコンクリート型枠Ｄの底面上に載置し、コンクリート型枠Ｄ内に生コンクリートを流し込むことにより、各タイルＴの表側Ｔ１部分を除く部分（すなわち図６における目地形成材Ｊの上面より上側の部分）を生コンクリート中に埋入させることができる。補強材としてタイルシートＱの上方に鉄筋を配して鉄筋コンクリートとすることもできる。
【００４４】
コンクリートＣが硬化した後、コンクリート型枠Ｄを取り外すと共に裏打ち材Ｌ及び目地形成材Ｊを除去することにより、図７に示すようにタイルＴの表側Ｔ１が露出した状態で配列されたプレキャストコンクリートパネルＲが容易且つ確実に得られる。
【００４５】
タイルＴの表側Ｔ１には、独立気泡ポリエチレンフォーム製の裏打ち材Ｌの裏面側Ｌ１が、タイルＴの表側Ｔ１の形状に沿って変形して貼着された状態で生コンクリートの打設及び硬化が行われるため、ノロがタイルＴの表側Ｔ１に浸透することが防がれる。万一ノロが浸透した場合でも、裏打ち材Ｌの裏面側Ｌ１の粘着剤層中のセメント凝結遅延剤により凝結が遅延されるので、タイルＴの表側Ｔ１から効果的に除去することができる。
【００４６】
(3) 図８に示すように、相対するように立設したコンクリートパネルＰの各内側面に、一対のタイルシートＱを、基材Ｓを外側に位置させて接合し、両タイルシートＱ間に鉄筋Ｂを配した状態で、両タイルシートＱ間に生コンクリートを流し込むことにより、各タイルＴの表側Ｔ１部分を除く部分（すなわち図８における目地形成材Ｊの内面より内側の部分）を生コンクリート中に埋入させることができる。コンクリートＣが硬化した後、コンクリートパネルＰを取り外すと共に裏打ち材Ｌ及び目地形成材Ｊを除去することにより、タイルＴの表側Ｔ１が露出した状態で両側に配列された鉄筋コンクリート壁が容易且つ確実に得られる。なお、タイルシートＱの基材ＳとしてコンクリートパネルＰ自体を用いることもできる。
【００４７】
ノロの浸透防止及び除去効果についてはプレキャストコンクリートパネルＲの製造の場合と同様である。
【００４８】
[2] 本発明の実施の形態を、上記以外の形態を含めて更に説明する
【００４９】
(1) 本発明のキャスト体の製法は、表側と裏側を有する複数のブロック状部材を、各ブロック状部材の側面相互間に目地用間隙を隔有する状態で各ブロック状部材の表側部分を除く部分を流動性固化材料中に埋入させ、その流動性固化材料を固化させることにより、各ブロック状部材の表側部分が露出（表側部分以外が一部露出するものも排除されない）し、ブロック状部材同士の間に目地が存在する状態のキャスト体（例えば、プレキャストコンクリートパネル、現場打ちコンクリート壁等）を製造する方法であって、工程Ａ、工程Ｂ、及び、工程Ｃを備える。
【００５０】
工程Ａは、各ブロック状部材の表側に、厚さがそのブロック状部材の表側の形状の高さ方向の変化幅よりも厚く、表側の形状に沿って変形し得る裏打ち材の裏面側を貼着してその裏打ち材を前記ブロック状部材の表側の形状に沿って変形した状態とすることによりブロック状複合体を形成するものである。
【００５１】
工程Ｂは、ブロック状複合体における裏打ち材の表面側を所定形状に整形するものである。
【００５２】
工程Ｃは、ブロック状部材の側面相互間に目地用間隙を隔有する状態で、ブロック状複合体における所定形状に整形された裏打ち材の表面側部分を、前記所定形状に対応する形状の所定箇所に支持することにより、そのブロック状複合体におけるブロック状部材の位置及び姿勢を決定すると共に、
ブロック状部材の側面相互間の前記目地用間隙のうちブロック状部材の表側よりも裏側寄りを目地形成材により閉塞するものである。
【００５３】
また本発明のブロック状部材保持体は、表側と裏側を有する複数のブロック状部材と、各ブロック状部材についての裏打ち材と、目地形成材と、平面状部を有する基材を備える。
【００５４】
(2) ブロック状部材
【００５５】
ブロック状部材の形状としては、例えば、直方体、立方体、表側と裏側が平行状をなす立体、表側と裏側が平行状をなし表側と裏側に対し側面が垂直状である立体、側周面が表側（又は裏側）からの平面視において直線状をなす立体を挙げることができる。このような立体は、例えば、板状、厚板状、塊状等とすることができる。
【００５６】
ブロック状部材の素材としては、例えば、タイル（特に、割肌タイル、石面タイル、スクラッチタイル、凹凸面状タイル等）、レンガ、石材、コンクリート等を挙げることができるが、これに限るものではない。
【００５７】
本発明の製法又はブロック状部材保持体に用いるブロック状部材の数は、複数であり、例えば、４、６、８、１０、１２若しくはそれ以上の偶数又は奇数とすることができる。
【００５８】
全てのブロック状部材は、表側（若しくは裏側）からの平面視形状が実質上同一であるか、或いは、表側の形状を除き実質上同一であることが好ましいが、これに限るものではない。
【００５９】
全てのブロック状部材又は少なくとも１個のブロック状部材の表側の形状は、裏側から表側への高さにおいて変化する（表側における平面的な位置によって高さが異なる）ものとすることができる。例えば、ブロック状部材が表側において水平面上に載置された場合に、何れかの向きに傾斜する形状、特に、傾斜する向きが個々のブロック状部材において異なるもの又は安定的に支持されないものとすることができる。この場合の傾斜は、裏側又は側面を基準とした傾斜（例えば、裏側が平面に沿った形状である場合に、その平面に対する傾斜、又は、側面が一定の平面に対し垂直状をなす場合に、その平面に対する傾斜）を言うものとすることができる。
【００６０】
なお、ブロック状部材は、表側における１又は２以上の箇所に、穴状若しくは溝状の凹部、突部又は直線若しくは折曲線若しくは曲線状の突条を有するものであってもよい。
【００６１】
ブロック状部材の裏側は、平面に沿った形状、例えば、ブロック状部材が裏側において水平面上に安定的に支持され得る形状、より具体的には、平面状、１又は２以上の箇所に穴状若しくは溝状の凹部を有する平面状、１又は２以上の箇所に突部又は直線若しくは折曲線若しくは曲線状の突条を有し、それらの突部又は突条において、或いは突部又は突条と他の部分において、水平面上に安定的に支持される形状であることが好ましいが、これに限るものではない。
【００６２】
(3) 裏打ち材
【００６３】
裏打ち材は、ブロック状部材毎に、その裏打ち材の裏面側において、そのブロック状部材の表側に、ブロック状部材の表側の形状に沿って変形した状態で貼着されることにより、ブロック状複合体を構成する。貼着された裏打ち材の表面側は、裏面側の変形に従って変形するが、裏面側の変形に追随する程度は裏打ち材の素材により異なる。
【００６４】
裏打ち材は、厚さがそのブロック状部材の表側の形状の高さ（裏側から表側への高さ）方向の変化幅よりも厚く、ブロック状部材の表側の形状に沿って変形し得るものであり、例えばマット状又は厚手のシート状のものを用いることができる。対象とするブロック状部材同士の間に、裏側から表側への高さの高低がある場合は、全ブロック状部材のうち、最も低い高さの表側部分を有するものと最も高い高さの表側部分を有するものにおける、その最も低い高さと最も高い高さの差よりも厚い裏打ち材を用いるものとすることもできる。
【００６５】
裏打ち材は、流動性固化材料の一部がブロック状部材の表側に浸透等により達することを防ぐ上で、ブロック状部材の表側全面を覆うように（好ましくは実質上ブロック状部材の表側全面に一致するように）貼着することが好ましいが、必ずしもこれに限るものではない。例えば、ブロック状部材の表側のうち少なくとも全外周部に貼着するものとすることもできる。
【００６６】
ブロック状部材の表側に対する裏打ち材の貼着は、例えば、粘着剤（好ましくは、裏打ち材の裏面側に粘着剤層として配した粘着剤）、又はその他の接着剤を介して行うものとすることができる。流動性固化材料の一部がブロック状部材の表側に浸透等により達した状態で固化することを防ぐ上で、固化防止剤を用いること（例えば粘着剤等に固化防止剤を配合すること）が好ましい。流動性固化材料が生コンクリートである場合の固化防止剤としては、各種のセメント凝結遅延剤を挙げることができる。
【００６７】
裏打ち材の素材としては、例えば、ポリエチレンフォーム等の発泡合成樹脂又は発泡エラストマー等の高分子発泡体が好適であるが、これに限るものではない。高分子発泡体としては、生コンクリート等の流動性固化材料の一部が内部に浸透することを防ぐ上で独立気泡の高分子発泡体であることが好ましいが、例えば表面部にコーティング等がなされて気泡部が外方に露出しないようにしたものを用いることもできる。
【００６８】
(4) 基材
【００６９】
基材は、平面状部を有する部材であり、例えば、シート状、平板状又はその他の形状であって、可撓性材料からなるもの又は剛性若しくは撓み難い材料からなるものとすることができる。より具体的には、例えば、合成樹脂シート、合成樹脂板、コンクリートパネル等の木質材料板、目地形成材としての格子状部分を備えた型枠等を挙げることができる。
【００７０】
平面状部は、平面である部分又は平面に沿った形状（凹凸等を有するものでもよい）である部分とすることができる。平面状部は、例えば、シート状又は平板状の基材における表裏何れかの面の所定箇所とすることや、格子状部分を備えた型枠における各格子内の底面に相当する所定箇所とすることができる。
【００７１】
基材の平面状部には、整形された裏打ち材表面側を接合するために、粘着剤層などを設けることができる。
【００７２】
(5) 裏打ち材表面側の整形
【００７３】
ブロック状複合体における裏打ち材の表面側は、所定形状に整形される。
【００７４】
整形は、例えば、機械的な切除又は切削により行うことができるが、レーザーや高圧水による切除、熱変形、熱溶融等の他の手段を採用することもできる。
【００７５】
整形により得るべき所定形状は、工程Ｃにおいて裏打ち材の表面側部分を所定箇所に支持してそのブロック状複合体におけるブロック状部材の位置及び姿勢を決定するための、所定箇所の形状に対応する形状である。裏打ち材の表面側の所定形状と、裏打ち材の表面側部分を支持する所定箇所の形状を対応させることにより（例えば、両方を平面又は平面に沿った形状とすることにより、あるいは例えば、一方に嵌合凸部を形成し、他方に対応する嵌合凹部を形成することにより）、ブロック状複合体におけるブロック状部材の位置及び姿勢を、例えば所定の基準面又はその他の基準箇所に対し決定することができる。
【００７６】
より具体的には、例えば、全てのブロック状部材の裏側が平面に沿った形状であり、全てのブロック状複合体における裏打ち材の表面側を、各ブロック状複合体におけるブロック状部材の裏側が沿う前記平面に対し一定の高さを隔てて平行状となるように整形するものとすることができる。整形後の裏打ち材の最大厚さは、ブロック状部材の表側の形状の高さ方向の変化幅よりも厚い。
【００７７】
ブロック状複合体における裏打ち材の表面側の整形は、例えば、各ブロック状複合体について個別に行うことができる。
【００７８】
また、複数のブロック状複合体における裏打ち材の表面側の整形を、例えば、それらのブロック状複合体を所定の状態に配置してまとめて行うこともできる。この場合の例としては、複数のブロック状複合体が、それらのブロック状部材の裏側が所定の平面に沿うようにその平面の一方の側に配置された状態（例えば所定の水平面等の平面上に所定状態に配置した状態、より具体的には、例えば格子状部分を備えた枠体における各格子内に各ブロック状複合体のブロック状部材の裏側を載置してブロック状部材の側面相互間に目地用間隙を隔有するようにした状態）で、それらのブロック状複合体の裏打ち材の表面側が、前記平面に平行状（ブロック状部材の裏側が沿う平面に対し一定の高さを隔てて平行状）となるように整形することを挙げることができる。
【００７９】
(6) ブロック状部材の位置及び姿勢
【００８０】
ブロック状部材の側面相互間に目地用間隙を隔有する状態で、ブロック状複合体における所定形状に整形された裏打ち材の表面側部分を、前記所定形状に対応する形状の所定箇所に支持することにより、そのブロック状複合体におけるブロック状部材の位置及び姿勢を決定することができる。ブロック状部材は、例えば、ｎ×ｍ（ｎ及びｍは何れも１以上整数でｎ＋ｍは３以上であるか、又は、何れも２以上若しくは３以上の整数である。）の碁盤目状に配列（例えば、平面視において同一の方形状の複数のブロック状部材を、その平面視における方形を縦横に所定間隔ずつ平行移動した配列）されるものとすることができるが、これに限るものではない。
【００８１】
前記所定箇所としては、シート状、平板状、格子状又はその他の形状であって、可撓性材料からなるもの又は剛性若しくは撓み難い材料からなる部材等の一部、例えば、シート体又は平板の表面、格子状部分を備えた枠体における格子の底部、その他の形態の部材における所定形態の箇所を所定箇所とすることができる。
【００８２】
全てのブロック状部材の裏側が平面に沿った形状であり、全てのブロック状複合体における裏打ち材の表面側を、各ブロック状複合体におけるブロック状部材の裏側が沿う前記平面に対し一定の高さを隔てて平行状となるように整形した場合、ブロック状部材の側面相互間に目地用間隙を隔有する状態で、ブロック状複合体における所定形状に整形された裏打ち材の表面側部分を、平面状部を有する基材の平面状部に接合することにより、そのブロック状複合体におけるブロック状部材の位置及び姿勢を決定することができる。裏打ち材の表面側部分を平面状部を有する基材の平面状部に接合するには、粘着剤（例えば基材の平面状部に設けた粘着剤層における粘着剤）やその他の接着剤を用いることができるほか、種々の手段を採用し得る。
【００８３】
より具体的には、例えば、格子状部分を備えた枠体における各格子内にブロック状複合体のブロック状部材の裏側を載置して所定の平面上にブロック状部材の側面相互間に目地用間隙を隔有するようにした状態で、前記平面に対し平行状をなす裏打ち材の表面側に、基材の平面状部を、粘着剤（例えば基材の平面状部に設けた粘着剤層における粘着剤）やその他の接着剤などにより接合することにより、それらのブロック状複合体におけるブロック状部材の位置及び姿勢を基材の平面状部に対し決定することができる。
【００８４】
(7) 目地形成材
【００８５】
目地形成材は、ブロック状部材の側面相互間の目地用間隙のうちブロック状部材の表側よりも裏側寄り（通常は、ブロック状部材の表側よりもやや裏側寄りの位置）を、好ましくはブロック状部材の表側又は裏側から一定の厚さ方向位置で閉塞するためのものである。更に、目地形成材は、ブロック状部材の外周部のうち他のブロック状部材に相対しない部分（例えば配列したブロック状部材群の外周部）に目地を形成するために同様に用いることができる。目地形成材は、ブロック状部材の形状や配置に応じ、各種格子状、格子を形成するための方形断面の棒状等、適宜の形状とすることができる。
【００８６】
目地形成材は、独立した部材とすることができるほか、例えば、流動性固化材料を固化させるための型を構成する型枠やパネル等の部材の一部であるものとすることもできる。
【００８７】
目地形成材は一定高さのものとすることができるが、これに限るものではない。
【００８８】
目地形成材としては、合成樹脂又はエラストマー等の高分子材料の他、セラミック材料、金属材料からなるもの等を用いることもできる。
【００８９】
目地形成材のうち少なくとも流動性固化材料に接し得る部分には、固化した流動性固化材料から分離させるための離型剤を配したり、離型性のある材料を用いることができる。
【００９０】
ブロック状部材の側面相互間に目地用間隙を隔有する状態で、ブロック状複合体における所定形状に整形された裏打ち材の表面側部分を、平面状部を有する基材の平面状部に接合することにより、そのブロック状複合体におけるブロック状部材の位置及び姿勢を決定されている場合、ブロック状部材の側面相互間の前記目地用間隙に目地形成部材を嵌挿してその目地形成部材を前記基材に接合することにより、前記目地用間隙のうちブロック状部材の表側よりも裏側寄りを目地形成材により閉塞することができる。
【００９１】
(8) 流動性固化材料
【００９２】
流動性固化材料は、複数のブロック状部材の側面相互間に目地用間隙を隔有する状態で各ブロック状部材の表側部分を除く部分が埋入するように配して固化させることにより、各ブロック状部材の表側部分が露出し、ブロック状部材同士の間に目地が存在する状態のキャスト体を形成するためのものである。
【００９３】
流動性固化材料としては、各種コンクリートの他、各種合成樹脂又はその他の材料を用いることもできる。また、コンクリートの場合は鉄筋又はその他の補強材、合成樹脂の場合は繊維状補強材又はその他の補強材を用いることができる。
【符号の説明】
【００９４】
Ｂ    鉄筋
Ｃ    コンクリート
Ｃ１  目地
Ｄ    コンクリート型枠
Ｊ    目地形成材
Ｌ    裏打ち材
Ｌ１  裏面側
Ｌ２  表面側
Ｍ    枠体
Ｍ１  格子枠
Ｐ    コンクリートパネル
Ｑ    タイルシート
Ｒ    プレキャストコンクリートパネル
Ｓ    基材
Ｔ    タイル
Ｔ１  表側
Ｔ２  裏側
Ｔ３  溝状凹部
Ｔ４  側面
Ｘ    ブロック状複合体
【図１】
2014145235.tif 000003
【図２】
2014145235.tif 000004
【図３】
2014145235.tif 000005
【図４】
2014145235.tif 000006
【図５】
2014145235.tif 000007
【図６】
2014145235.tif 000008
【図７】
2014145235.tif 000009
【図８】
2014145235.tif 000010